(57)【要約】【課題】コリメータレンズを光軸方向に移動可能に支持するガイド部に潤滑剤が塗布される場合に、ガイド部に塗布された潤滑剤がガイド部から流出することを防ぐことが可能な光ピックアップ装置を提供する。【解決手段】光ピックアップ装置１は、半導体レーザ１０１、１０３と、レーザ光を平行光に変換するコリメータレンズ１０８と、コリメータレンズホルダ１２１と、樹脂ハウジング１０と、樹脂ハウジング１０に形成され、コリメータレンズ１０８の光軸方向にコリメータレンズホルダ１２１を支持する副軸レール１１ｇと、を備える。副軸レール１１ｇの表面には、潤滑剤が塗布される。コリメータレンズホルダ１２１が副軸レール１１ｇを摺動することにより副軸レール１１ｇの表面を移動する潤滑剤を溜めこむための溝１１ｈ〜１１ｋが、副軸レール１１ｇに形成されている。【選択図】図６
2014089782.tif 000002
【特許請求の範囲】
【請求項１】
レーザ光源と、
前記レーザ光源から出射されたレーザ光を平行光に変換するコリメータレンズと、
前記コリメータレンズを保持するコリメータレンズホルダと、
前記コリメータレンズとともに他の光学部材を収容するハウジングと、
前記ハウジングに形成され、前記コリメータレンズの光軸方向に前記コリメータレンズホルダを支持するガイド部と、を備え、
前記ガイド部の表面に、潤滑剤が塗布され、
前記コリメータレンズホルダが前記ガイド部を摺動することにより前記ガイド部の表面を移動する前記潤滑剤を溜めこむための凹部が前記ガイド部に形成されている、
ことを特徴とする光ピックアップ装置。
【請求項２】
請求項１に記載の光ピックアップ装置において、
前記溝は、少なくとも、前記ガイド部の一方の端部に設けられている、
ことを特徴とする光ピックアップ装置。
【請求項３】
請求項２に記載の光ピックアップ装置において、
前記溝は、前記ガイド部の両端に設けられている、
ことを特徴とする光ピックアップ装置。
【請求項４】
請求項１ないし３の何れか一項に記載の光ピックアップ装置において、
前記凹部は、前記コリメータレンズホルダが移動する際に、前記ガイド部によって支持される前記コリメータレンズホルダの被支持部が、少なくとも前記凹部の一部に重なるように配置される、
ことを特徴とする光ピックアップ装置。
【発明の詳細な説明】
【技術分野】
【０００１】
本発明は、光ピックアップ装置に関するものであり、特に、コリメータレンズを駆動する機構を備えた光ピックアップ装置に用いて好適なものである。
【背景技術】
【０００２】
従来、光ピックアップ装置では、収差補正のため、コリメータレンズを光軸方向に移動させる駆動機構が用いられる。
【０００３】
かかる駆動機構では、たとえば、コリメータレンズを保持するホルダを光軸方向に案内する２つの支軸が用いられる。この構成において、２つの支軸のうち、１方の支軸は、駆動機構の低コスト化、軽量化のため、樹脂製のハウジングを変形させることにより構成され得る。たとえば、ハウジングを鍔状に突出させることにより、コリメータレンズを保持するホルダを案内するためのガイド部が形成される（たとえば、特許文献１）。
【先行技術文献】
【特許文献】
【０００４】
【特許文献１】特開２００９−２６４１０号公報
【発明の概要】
【発明が解決しようとする課題】
【０００５】
上記光ピックアップ装置では、コリメータレンズを円滑に駆動するため、ガイド部に潤滑剤が塗布される。この場合、コリメータレンズを光軸方向に移動させると、潤滑剤がハウジングのガイド部以外の箇所に流出し、流出した潤滑剤が、ハウジング内の他の光学部材に付着する惧れがある。
【０００６】
本発明は、このような点に鑑みてなされたものであり、コリメータレンズを光軸方向に移動可能に支持するガイド部に潤滑剤が塗布される場合に、ガイド部に塗布された潤滑剤がガイド部から流出することを防ぐことが可能な光ピックアップ装置を提供することを目的とする。
【課題を解決するための手段】
【０００７】
本発明の主たる態様は、光ピックアップ装置に関する。この態様に係る光ピックアップ装置は、レーザ光源と、前記レーザ光源から出射されたレーザ光を平行光に変換するコリメータレンズと、前記コリメータレンズを保持するコリメータレンズホルダと、前記コリメータレンズとともに他の光学部材を収容するハウジングと、前記ハウジングに形成され、前記コリメータレンズの光軸方向に前記コリメータレンズホルダを支持するガイド部と、を備える。ここで、前記ガイド部の表面に、潤滑剤が塗布される。前記コリメータレンズホルダが前記ガイド部を摺動することにより前記ガイド部の表面を移動する前記潤滑剤を溜めこむための凹部が前記ガイド部に形成されている。
【発明の効果】
【０００８】
本発明によれば、ガイド部に塗布された潤滑剤がガイド部から流出することを防ぐことが可能な光ピックアップ装置を提供することができる。
【０００９】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【図面の簡単な説明】
【００１０】
【図１】実施の形態に係る光ピックアップ装置の光学系を示す図である。
【図２】実施の形態に係るハウジングとコリメータレンズアクチュエータの構成を示す図である。
【図３】実施の形態に係る副軸レールの構成を示す図である。
【図４】実施の形態に係るハウジングとコリメータレンズアクチュエータの構成を示す図である。
【図５】実施の形態に係るハウジングとコリメータレンズアクチュエータの構成を示す図である。
【図６】実施の形態に係る副軸レールに形成される溝を示す図である。
【図７】変更例に係る副軸レールに形成される溝を示す図である。
【図８】変更例に係るコリメータレンズホルダの移動範囲を示す図である。
【発明を実施するための形態】
【００１１】
以下、本発明の実施の形態につき図面を参照して説明する。
【００１２】
本実施の形態において、樹脂ハウジング１０は、請求項に記載の「ハウジング」に相当する。副軸レール１１ｇは、請求項に記載の「ガイド部」に相当する。溝１１ｈ〜１１ｎは、請求項に記載の「凹部」に相当する。鉤部１２１ｄは、請求項に記載の「被支持部」に相当する。半導体レーザ１０１、１０３は、請求項に記載の「レーザ光源」に相当する。ただし、上記請求項と本実施の形態との対応の記載はあくまで一例であって、請求項に係る発明を本実施の形態に限定するものではない。
【００１３】
本実施の形態は、ＢＤ（Blu-ray Disc）、ＤＶＤ（Digital Versatile Disc）およびＣＤ（Compact Disc）に対応可能な互換型の光ピックアップ装置に本発明を適用したものである。
【００１４】
図１（ａ）、（ｂ）は、本実施の形態に係る光ピックアップ装置１の構成を示す図である。図１（ａ）は、光ピックアップ装置１を裏側から見たときの構成を模式的に示す図である。図１（ｂ）は、立ち上げミラー１１０、１１１以降の光学系を側面から透視した図である。
【００１５】
図１（ａ）、（ｂ）に示すように、光ピックアップ装置１は、樹脂ハウジング１０と、金属ハウジング２０を備えている。樹脂ハウジング１０は、軽量化、低コスト化のため、樹脂材料により構成されている。金属ハウジング２０は、熱伝導性の高い金属材料により構成されている。
【００１６】
また、光ピックアップ装置１は、半導体レーザ１０１と、１／２波長板１０２と、半導体レーザ１０３と、回折格子１０４と、ダイクロイックミラー１０５と、偏光ビームスプリッタ（ＰＢＳ）１０６と、フロントモニタ１０７と、コリメータレンズ１０８と、１／４波長板１０９と、立ち上げミラー１１０、１１１と、対物レンズ１１２、１１３と、アナモレンズ１１４と、光検出器１１５を備えている。
【００１７】
これらの光学系の部材のうち、半導体レーザ１０１、１０３と、１／２波長板１０２と、回折格子１０４と、ダイクロイックミラー１０５と、ＰＢＳ１０６と、アナモレンズ１１４と、光検出器１１５は、金属ハウジング２０に対して、直接または他の部材を介して設置されている。半導体レーザ１０１、１０３から発せられた熱は、金属ハウジング２０を介して放熱される。
【００１８】
フロントモニタ１０７と、コリメータレンズ１０８と、１／４波長板１０９と、立ち上げミラー１１０、１１１、対物レンズ１１２、１１３は、樹脂ハウジング１０に対して、直接または他の部材を介して設置されている。樹脂ハウジング１０には、コリメータレンズ１０８をＺ軸方向の位置調整を行うためのコリメータレンズアクチュエータ装着部１１が形成されている。コリメータレンズアクチュエータ装着部１１には、コリメータレンズアクチュエータ１２が設置される。
【００１９】
半導体レーザ１０１は、波長４０５ｎｍ程度のレーザ光（以下、「ＢＤ光」という）を出射する。１／２波長板１０２は、ＢＤ光の偏光方向が、ＰＢＳ１０６に対してＳ偏光からややずれた方向となるように、ＢＤ光の偏光方向を調整する。半導体レーザ１０３は、波長７８０ｎｍ程度のＣＤ用レーザ光（以下、「ＣＤ光」という）と、波長６５０ｎｍ程度のＤＶＤ用レーザ光（以下、「ＤＶＤ光」という）をそれぞれ出射する２つのレーザ素子を収容している。半導体レーザ１０３は、出射するＤＶＤ光とＣＤ光の偏光方向が、ＰＢＳ１０６に対してＳ偏光からややずれた方向となるよう設置されている。
【００２０】
回折格子１０４は、ＤＶＤ光とＣＤ光を、それぞれ、メインビームと２つのサブビームに分割する。ダイクロイックミラー１０５は、ＢＤ光を反射し、ＤＶＤ光とＣＤ光を透過する。
【００２１】
ＢＤ光、ＤＶＤ光、ＣＤ光は、それぞれ、一部がＰＢＳ１０６を透過し、大部分がＰＢＳ１０６によって反射される。ＰＢＳ１０６を透過したＢＤ光、ＤＶＤ光、ＣＤ光は、フロントモニタ１０７に照射される。フロントモニタ１０７は、受光光量に応じた信号を出力する。フロントモニタ１０７からの信号は、半導体レーザ１０１、１０３の出射パワー制御に用いられる。
【００２２】
コリメータレンズ１０８は、ＰＢＳ１０６側から入射するＢＤ光、ＤＶＤ光、ＣＤ光を、それぞれ、平行光に変換する。コリメータレンズアクチュエータ１２は、収差補正の際に、制御信号に応じてコリメータレンズ１０８を光軸方向に移動させる。
【００２３】
コリメータレンズ１０８により平行光とされたＢＤ光、ＤＶＤ光、ＣＤ光は、１／４波長板１０９に入射する。１／４波長板１０９は、コリメータレンズ１０８側から入射するＢＤ光、ＤＶＤ光、ＣＤ光を円偏光に変換するとともに、立ち上げミラー１１０側から入射するＢＤ光、ＤＶＤ光、ＣＤ光を、コリメータレンズ１０８側から入射する際の偏光方向に直交する直線偏光に変換する。これにより、ディスクからの反射光は、ＰＢＳ１０６をＺ軸正方向に透過する。
【００２４】
立ち上げミラー１１０は、ダイクロイックミラーであり、ＢＤ光を透過するとともに、ＤＶＤ光とＣＤ光を対物レンズ１１２に向かう方向（Ｙ軸正方向）に反射する。立ち上げミラー１１１は、ＢＤ光を対物レンズ１１３に向かう方向（Ｙ軸正方向）に反射する。
【００２５】
対物レンズ１１２は、ＤＶＤ光とＣＤ光を、それぞれ、ＤＶＤとＣＤに対して適正に収束させるよう構成されている。また、対物レンズ１１３は、ＢＤ光をＢＤに適正に収束させるよう構成されている。対物レンズ１１２、１１３は、レンズホルダ１３１に保持された状態で、対物レンズアクチュエータ１３２により、フォーカス方向（Ｙ軸方向）およびトラッキング方向（Ｘ軸方向）に駆動される。
【００２６】
ディスクからの反射光は、１／４波長板１０９によりＰＢＳ１０６に対してＰ偏光となる直線偏光に変換され、ＰＢＳ１０６を透過する。ＰＢＳ１０６は、片面に偏光膜が形成された平行平板からなっており、ＢＤ光、ＤＶＤ光、ＣＤ光の光軸に対して４５度傾くように配置されている。アナモレンズ１１４は、ＰＢＳ１０６側から入射するＢＤ光、ＤＶ
Ｄ光、ＣＤ光に所定の非点収差を導入する。
【００２７】
光検出器１１５の受光面には、ＢＤ光、ＤＶＤ光、ＣＤ光が照射される位置に、各光を受光するための複数のセンサが配置されている。各センサからの出力により、従来周知の手法にて、再生ＲＦ信号、フォーカスエラー信号、トラッキングエラー信号が生成される。本実施の形態において、フォーカスエラー信号は、非点収差法に基づいて生成される。また、ＢＤ光に対するトラッキングエラー信号は、１ビームプッシュプル法によって生成され、ＤＶＤ光とＣＤ光に対するトラッキングエラー信号は、３ビーム法に基づいて生成される。
【００２８】
図２は、樹脂ハウジング１０、金属ハウジング２０、およびコリメータレンズアクチュエータ１２の構成を示す斜視図である。なお、図２において、樹脂ハウジング１０は、コリメータレンズアクチュエータ装着部１１周辺のみが示されており、金属ハウジング２０は、外観の形状が破線で模式的に示されている。
【００２９】
図２を参照して、コリメータレンズアクチュエータ１２は、コリメータレンズホルダ１２１と、メインシャフト１２２と、駆動部１２３を備えている。
【００３０】
コリメータレンズホルダ１２１は、コリメータレンズ保持部１２１ａと、メインシャフト装着部１２１ｂが形成されている。コリメータレンズ保持部１２１ａには、略円形形状の開口が形成されており、開口には、コリメータレンズ１０８が装着される。
【００３１】
メインシャフト装着部１２１ｂには、Ｚ軸方向に貫通する孔が形成されており、この孔に、メインシャフト１２２が通される。また、メインシャフト装着部１２１ｂには、駆動部１２３のナット１２３ｃが嵌め込まれる係合部１２１ｃが形成されている。  また、コリメータレンズ保持部１２１ａのＸ軸正側には、鉤部１２１ｄが形成されており、鉤部１２１ｄには、Ｕ字型の溝１２１ｅが形成されている。
【００３２】
メインシャフト１２２は、コリメータレンズホルダ１２１を光軸方向（Ｚ軸方向）に案内するための支持部材である。メインシャフト１２２には、コイルばね１２２ａが配されている。コイルばね１２２ａは、コリメータレンズホルダ１２１のメインシャフト装着部１２１ｂに対して、Ｚ軸正方向に付勢力を与える。これにより、コリメータレンズホルダ１２１の駆動時におけるがたつき（バックラッシュ）が抑制される。
【００３３】
駆動部１２３は、ステッピングモータ１２３ａと、リードスクリュー１２３ｂと、ナット１２３ｃと、フレーム１２３ｄと、ピボット１２３ｅを備えている。
【００３４】
ステッピングモータ１２３ａは、電気信号に応じて、リードスクリュー１２３ｂを回転させる。リードスクリュー１２３ｂには、ネジ溝が形成されており、このネジ溝にナット１２３ｃが螺合されている。
【００３５】
コリメータレンズアクチュエータ装着部１１のＸ軸負側には、ステッピングモータ１２３ａを嵌め込むための嵌合部１１ａと、ピボット１２３ｅを受ける溝１１ｂが形成されている。また、コリメータレンズアクチュエータ装着部１１には、メインシャフト１２２を受けるための軸受１１ｃ、１１ｄ、１１ｅが形成されている。
【００３６】
コリメータレンズアクチュエータ装着部１１のＸ軸正側には、壁面から突出する鍔部１１ｆが形成されており、鍔部１１ｆの先端には、コリメータレンズホルダ１２１の支持するための副軸レール１１ｇが形成されている。
【００３７】
また、樹脂ハウジング１０のＸ軸負側の側面には、突部１０ａが形成されており、突部１０ａには、穴１０ｂが形成されている。さらに、樹脂ハウジング１０には、突部１０ｃが形成されており、突部１０ｃには、穴１０ｄが形成されている。金属ハウジング２０には、穴１０ｂ、１０ｄに係合する係合部が形成されている（図示せず）。
【００３８】
図３（ａ）は、副軸レール１１ｇの周辺をＹ軸負側から見た斜視図である。図３（ｂ）は、副軸レール１１ｇの周辺をＹ軸正側から見た斜視図である。なお、図３（ａ）、図３（ｂ）には、副軸レール１１ｇのＺ軸正側の端縁において、樹脂ハウジング１０をＸＹ平面に平行な面で切断した状態が示されている。
【００３９】
副軸レール１１ｇは、断面が略円形形状であり、表面に潤滑剤が塗布されている。また、副軸レール１１ｇのＺ軸負側の端部付近には、副軸レール１１ｇの上面と下面に、それぞれ、２つの溝１１ｈ、１１ｊが形成されている。また、副軸レール１１ｇのＺ軸正側の端部付近には、副軸レール１１ｇの上面と下面に、それぞれ、２つの溝１１ｉ、１１ｋが形成されている。これら溝１１ｈ〜１１ｋは、平面視において、略正方形の輪郭を有している。また、溝１１ｈ〜１１ｋの底面はＸ−Ｚ平面に平行であり、溝１１ｈ〜１１ｋの側面はＸ−Ｙ平面に平行である。
【００４０】
副軸レール１１ｇの上面側に形成された溝１１ｈと溝１１ｉは、図３（ａ）に示すように、副軸レール１１ｇの上面がＹ軸負方向に最も高くなる位置（上方向の天面の位置）から外れた位置に配置されている。また、副軸レール１１ｇの下面側に形成された溝１１ｊと溝１１ｋは、図３（ｂ）に示すように、副軸レール１１ｇの下面がＹ軸正方向に最も低くなる位置（下方向の天面の位置）から外れた位置に配置されている。また、溝１１ｈ、１１ｊは、Ｘ軸方向の同じ位置に配置され、溝１１ｉ、１１ｋは、Ｘ軸方向の同じ位置に配置されている。
【００４１】
図４は、コリメータレンズアクチュエータ装着部１１にコリメータレンズアクチュエータ１２と金属ハウジング２０を装着したときのコリメータレンズアクチュエータ装着部１１付近の構成を示す斜視図である。図５は、図４に示す構成を、鉤部１２１ｄの部分において、ＸＹ平面に平行な面で切断した断面図である。
【００４２】
光ピックアップ装置１の組立時には、まず、樹脂ハウジング１０の突部１０ａ、１０ｃに接着剤が塗布される。この状態で、金属ハウジング２０の係合部（図示せず）が穴１０ｂ、１０ｄに係合するように、金属ハウジング２０が突部１０ａ、１０ｃに重ね合わされる。また、樹脂ハウジング１０と金属ハウジング２０の間に、接着剤がさらに塗布される。これにより、金属ハウジング２０が樹脂ハウジング１０に接着固定される。
【００４３】
次に、副軸レール１１ｇが、コリメータレンズホルダ１２１の溝１２１ｅに嵌められ、さらに、メインシャフト１２２が、軸受１１ｃ、１１ｄ、１１ｅに設置される。この状態において、副軸レール１１ｇは、図５に示すように、コリメータレンズホルダ１２１の溝１２１ｅに係合する。これにより、コリメータレンズホルダ１２１は、メインシャフト１２２と副軸レール１１ｇにより、光軸方向（Ｚ軸方向）に移動可能なように支持される。
【００４４】
なお、副軸レール１１ｇがコリメータレンズホルダ１２１の溝１２１ｅに嵌められる際に、予め、副軸レール１１ｇに潤滑剤が塗布される。このとき、潤滑剤は、副軸レール１１ｇに形成された溝１１ｈ〜１１ｋに貯留されないように塗布される。
【００４５】
図４に戻り、こうしてコリメータレンズアクチュエータ１２がコリメータレンズアクチュエータ装着部１１に設置された状態で、メインシャフト１２２が軸受１１ｃ、１１ｄ、１１ｅに接着固定される。これにより、コリメータレンズアクチュエータ装着部１１に対
するコリメータレンズアクチュエータ１２の装着が完了する。
【００４６】
こうして、図４に示すように、光ピックアップ装置１が組み立てられる。この状態で、ステッピングモータ１２３ａにより、リードスクリュー１２３ｂが回転されると、ナット１２３ｃとともに係合部１２１ｃが駆動され、コリメータレンズホルダ１２１が光軸方向（Ｚ軸方向）に送られる。
【００４７】
本実施の形態において、コリメータレンズホルダ１２１は、副軸レール１１ｇの一端から他端まで移動可能となっている。このため、コリメータレンズホルダ１２１は、鉤部１２１ｄが、副軸レール１１ｇの溝１１ｈ〜１１ｋを覆う位置に到達するまで、副軸レール１１ｇの端部方向に移動可能である。したがって、コリメータレンズホルダ１２１が副軸レール１１ｇの端部へと移動されると、鉤部１２１ｄが溝１１ｈ〜１１ｋに掛ることとなる。このため、溝１１ｈ〜１１ｋは、鉤部１２１ｄの移動を阻害しないように配置される必要がある。
【００４８】
本実施の形態では、図３（ａ）、（ｂ）を参照して説明したように、溝１１ｈ〜１１ｋが、副軸レール１１ｇの上下方向の天面からやや外れた位置に形成されている。また、図４に示す組立状態において、鉤部１２１ｄに形成された溝１２１ｅは、副軸レール１１ｇの上下方向の天面に当接する。このため、コリメータレンズホルダ１２１が移動する際に、鉤部１２１ｄの溝１２１ｅが、副軸レール１１ｇの溝１１ｈ〜１１ｋに掛ることはない。よって、溝１１ｈ〜１１ｋが鉤部１２１ｄの移動を阻害することはなく、コリメータレンズホルダ１２１は、光軸方向に円滑に移動可能となっている。
【００４９】
図６（ａ）〜図６（ｃ）は、コリメータレンズホルダ１２１が駆動されるときの副軸レール１１ｇ近傍の状況を示す図である。
【００５０】
コリメータレンズ１０８が光軸方向（Ｚ軸方向）に送られると、コリメータレンズ１０８の鉤部１２１ｄが副軸レール１１ｇに摺接することによって、図６（ｂ）、図６（ｃ）に示すように、副軸レール１１ｇの表面に塗布された潤滑剤が、鉤部１２１ｄによって剥がされ、次第に、副軸レール１１ｇの端部に寄せ集められる。本実施の形態では、上記のように、副軸レール１１ｇの両端付近に溝１１ｈ〜１１ｋが形成されているため、寄せ集められた潤滑剤は、これら溝１１ｈ〜１１ｋへと流入し、溝１１ｈ〜１１ｋに貯留される。このため、潤滑剤が、副軸レール１１ｇから流れ出ることが抑制される。これにより、潤滑剤が他の光学部材に付着して光学部材の特性が劣化することを防ぐことができる。
【００５１】
また、潤滑剤は、副軸レール１１ｇに設けられた溝１１ｈ〜１１ｋに貯留されるため、鉤部１２１ｄが溝１１ｈ〜１１ｋを通過することにより、溝１１ｈ〜１１ｋに貯留された潤滑剤が、副軸レール１１ｇに供給される。これにより、副軸レール１１ｇにおいて、潤滑剤が不足することを防止することができる。したがって、潤滑剤不足によりコリメータレンズアクチュエータ１２の駆動性能が劣化することを、防ぐことができる。
【００５２】
なお、潤滑剤の塗布量が適量でない場合には、副軸レール１１ｇの端部に寄せ集められた潤滑剤が、溝１１ｈ〜１１ｋに収まり切らずに、端部から漏れ出ることが起こり得る。したがって、潤滑剤の塗布量は、副軸レール１１ｇの端部に寄せ集められた潤滑剤が、溝１１ｈ〜１１ｋに貯留されて、副軸レール１１ｇの端部から漏れ出ることがないような量とされる必要がある。
【００５３】
なお、図６に示すように、副軸レール１１ｇの両端付近に潤滑剤を溜めこむための溝１１ｈ〜１１ｋが設けられる構成は、請求項１〜３に記載の構成の一例である。
【００５４】
＜実施の形態の効果＞
本実施の形態によれば、以下の効果が奏され得る。
【００５５】
副軸レール１１ｇの両端付近に溝１１ｈ〜１１ｋが形成されているため、副軸レール１１ｇから潤滑剤が流出することが抑制される。これにより、光学部材に潤滑剤が付着することを防ぐことができ、光ピックアップ装置の光学特性の劣化を抑制することができる。
【００５６】
また、副軸レール１１ｇの溝１１ｈ〜１１ｋに潤滑剤が貯留されるため、副軸レール１１ｇの潤滑剤が不足することを防ぐことができる。これにより、コリメータレンズアクチュエータ１２の駆動性能を維持することができる。
【００５７】
以上、本発明の実施の形態について説明したが、本発明は、上記実施の形態に何ら制限されるものではなく、また、本発明の実施の形態も上記以外に種々の変更が可能である。
【００５８】
たとえば、上記実施の形態では、副軸レール１１ｇの両端付近に２つの溝１１ｈ〜１１ｋが形成されたが、副軸レール１１ｇに設けられる溝の数および配置位置は、これに限定されるものではない。たとえば、図７（ａ）に示すように副軸レール１１ｇの中央付近に２つの溝１１ｌが形成されても良く、また、図７（ｂ）に示すように、副軸レール１１ｇに両端に、それぞれ１つずつ溝１１ｉ、１１ｊが設けられても良い。さらに、図７（ｃ）に示すように、副軸レール１１ｇの一端付近にのみ２つの溝１１ｍが形成されても良く、あるいは、図７（ｄ）に示すように、副軸レール１１ｇの両端に溝１１ｈ、１１ｉを形成するとともに、副軸レール１１ｇの中央に溝１１ｎが形成されても良い。ただし、潤滑剤は、コリメータレンズホルダ１２１の移動範囲の両端に集まり易いため、溝は、上記実施の形態のように、副軸レール１１ｇの両端付近に形成されるのが望ましい。
【００５９】
また、上記実施の形態では、溝１１ｈ〜１１ｋが、副軸レール１１ｇが延びる方向に対して垂直な方向に細長くなるように形成されたが、副軸レール１１ｇが延びる方向に細長くなるように溝１１ｈ〜１１ｋが形成されても良い。
【００６０】
また、上記実施の形態では、溝１１ｈ〜１１ｋの輪郭が方形形状であったが、溝１１ｈ〜１１ｋの輪郭は、円形や楕円形等の他の形状であっても良い。また、溝１１ｈ〜１１ｋの深さ方向の形状も、上記実施の形態で示された形状に限られるものではなく、たとえば、底面が丸く窪んだ形状であっても良い。さらに、溝１１ｈ〜１１ｋに代えて、他の形状の窪みが形成されても良い。特許請求の範囲に記載された「凹部」は、必ずしも、溝１１ｈ〜１１ｋのように切り立った壁を有する必要がなく、潤滑剤を貯留可能な窪みで有れば良い。
【００６１】
また、上記実施の形態おいて、溝１１ｈ、１１ｊは、Ｘ軸方向の同じ位置に配置され、同様に、溝１１ｉ、１１ｋは、Ｘ軸方向の同じ位置に配置されたが、Ｘ軸方向における溝１１ｈ〜１１ｋの配置位置はこれに限定されるものではなく、たとえば、溝１１ｈの位置と溝１１ｊの位置がＺ軸方向にずれていても良い。
【００６２】
また、上記実施の形態では、図８（ａ）の破線の位置から実線の位置までの範囲がコリメータレンズホルダ１２１の移動範囲とされたが、コリメータレンズホルダ１２１の移動範囲は、図８（ｂ）の破線の位置から実線の位置までの範囲のように、鉤部１２１ｄが溝１１ｈ〜１１ｋに掛る手前まで移動する範囲とされても良く、あるいは、鉤部１２１ｄが溝１１ｈ〜１１ｋの一部に掛る位置まで移動する範囲とされても良い。ただし、図８（ｂ）の場合には、鉤部１２１ｄが溝１１ｈ〜１１ｋに掛らないため、溝１１ｈ〜１１ｋに潤滑剤が貯留されるものの、貯留された潤滑剤が鉤部１２１ｄによって副軸レール１１ｇに供給されることが起こりにくくなる。したがって、コリメータレンズホルダ１２１の移動
範囲は、鉤部１２１ｄが溝１１ｈ〜１１ｋに掛かるように設定されるのが望ましい。換言すると、溝１１ｈ〜１１ｋは、図８（ａ）に示すように、コリメータレンズホルダ１２１が移動する際に、鉤部１２１ｄが溝１１ｈ〜１１ｋに掛るように配置されるのが望ましい。
【００６３】
なお、図８（ａ）のように、コリメータレンズホルダ１２１が移動する際に、鉤部１２１ｄが溝１１ｈ〜１１ｋに重なるように溝１１ｈ〜１１ｋが配置される構成は、請求項４に記載の構成の一例である。
【００６４】
また、上記実施の形態では、樹脂ハウジング１０と金属ハウジング２０が設けられたが、１つのハウジングによって構成されても良い。
【００６５】
さらに、上記実施の形態では、ＢＤ、ＤＶＤ、ＣＤに対応可能な光ピックアップ装置が例示されたが、ＢＤ、ＤＶＤ、ＣＤのうち２つに対応可能な光ピックアップ装置、または、ＢＤ、ＤＶＤ、ＣＤのうち１つに対応可能な光ピックアップ装置にも適用可能である。
【００６６】
この他、本発明の実施の形態は、特許請求の範囲に示された技術的思想の範囲内において、適宜、種々の変更が可能である。
【符号の説明】
【００６７】
１  …  光ピックアップ装置
１０  …  樹脂ハウジング（ハウジング）
１１ｇ  …  副軸レール（ガイド部）
１１ｈ〜１１ｍ  …  溝（凹部）
１２１  …  コリメータレンズホルダ
１２１ｄ  …  鉤部（被支持部）
１０１、１０３  …  半導体レーザ（レーザ光源）
１０８  …  コリメータレンズ
【図１】
2014089782.tif 000003
【図２】
2014089782.tif 000004
【図３】
2014089782.tif 000005
【図４】
2014089782.tif 000006
【図５】
2014089782.tif 000007
【図６】
2014089782.tif 000008
【図７】
2014089782.tif 000009
【図８】
2014089782.tif 000010